(57)【特許請求の範囲】
【請求項１】
被検体上を走査された測定光と、参照光とに基づいてＯＣＴデバイスによって検出されたＯＣＴ信号を処理するＯＣＴ信号処理装置であって、
同一部位における時間の異なる複数のＯＣＴ信号を処理して得られた３次元モーションコントラストデータの良否を確認するための確認画面を表示手段に表示させる制御手段を備え、
前記制御手段は、
前記３次元モーションコントラストデータを複数の深さ領域に分離するためのセグメンテーション処理を行い、前記セグメンテーション処理によって前記被検体の一部の深さ領域において抽出された前記３次元モーションコントラストデータである深さ領域データに基づくモーションコントラスト画像を前記確認画面に表示させると共に、
前記３次元モーションコントラストデータの基礎となる前記複数のＯＣＴ信号を前記ＯＣＴデバイスにより再取得するための検者からの操作信号を受け付けるボタンを前記確認画面上に表示することを特徴とするＯＣＴ信号処理装置。
【請求項２】
前記制御手段は、深さの異なる複数の深さ領域においてそれぞれ抽出された深さ領域データ毎に生成された複数のモーションコントラスト画像を前記確認画面に切り替え可能に表示させることを特徴とする請求項１のＯＣＴ信号処理装置。
【請求項３】
前記制御手段は、前記３次元モーションコントラストデータを評価するための指標を前記確認画面に表示させることを特徴とする請求項１または２のＯＣＴ信号処理装置。
【請求項４】
被検体上を走査された測定光と、参照光とに基づいてＯＣＴデバイスによって検出されたＯＣＴ信号を処理するＯＣＴ信号処理装置において用いられるＯＣＴ信号処理プログラムであって、
前記ＯＣＴ信号処理装置のプロセッサによって実行されることで、
前記３次元モーションコントラストデータを複数の深さ領域に分離するためのセグメンテーション処理を行い、同一部位における時間の異なる複数のＯＣＴ信号を処理して得られた３次元モーションコントラストデータのうち、前記セグメンテーション処理によって前記被検体の一部の深さ領域において抽出されたモーションコントラストデータである深さ領域データに基づくモーションコントラスト画像を、前記３次元モーションコントラストデータの良否を確認するための確認画面を表示手段に表示させる表示ステップであって、前記３次元モーションコントラストデータの基礎となる前記複数のＯＣＴ信号を前記ＯＣＴデバイスにより再取得するための検者からの操作信号を受け付けるボタンを前記確認画面上に表示するステップと、を前記ＯＣＴ信号処理装置に実行させることを特徴とするＯＣＴ信号処理プログラム。
【請求項５】
走査手段によって被検体上を走査された測定光と、参照光とに基づいてＯＣＴ信号を取得するＯＣＴ光学系と、を備えるＯＣＴ装置であって、
前記ＯＣＴ光学系よって取得された同一部位における時間の異なる複数のＯＣＴ信号を処理して得られた３次元モーションコントラストデータの良否を確認するための確認画面を表示手段に表示させる制御手段を備え、
前記制御手段は、前記ＯＣＴ光学系による被検体の撮影を開始するためのレリーズ信号を受け付けると、前記走査手段を制御することによって前記複数のＯＣＴ信号を取得し、前記３次元モーションコントラストデータを複数の深さ領域に分離するためのセグメンテーション処理を行い、前記セグメンテーション処理によって前記被検体の一部の深さ領域において抽出された前記３次元モーションコントラストデータである深さ領域データに基づくモーションコントラスト画像を前記確認画面に表示させると共に、
前記３次元モーションコントラストデータの基礎となる前記複数のＯＣＴ信号を前記ＯＣＴデバイスにより再取得するための検者からの操作信号を受け付けるボタンを前記確認画面上に表示することを特徴とするＯＣＴ装置。
【発明の詳細な説明】
【技術分野】
【０００１】
本開示は、ＯＣＴデバイスによって取得された被検体のＯＣＴ信号を処理するＯＣＴ信号処理装置、ＯＣＴ信号処理プログラム、およびＯＣＴ装置に関する。
【背景技術】
【０００２】
従来、被検体の断層画像を撮影することができる装置として、ＯＣＴ（Optical Coherence Tomography：光断層干渉計）デバイスを用いた装置が知られている（特許文献１参照）。ＯＣＴデバイスは、光源から出射された光を測定光と参照光に分割し、分割した測定光を被検体の組織に照射する。ＯＣＴデバイスは、組織によって反射された測定光を参照光と合成し、合成した光のＯＣＴ信号を取得する。
【先行技術文献】
【特許文献】
【０００３】
【特許文献１】特開２０１１−１７２８２２
【特許文献２】特開２０１０−２２０７７２
【非特許文献】
【０００４】
【非特許文献１】J. Lee, V. Srinivasan, H. Radhakrishnan, and D. a Boas, “Motion correction for phase-resolved dynamic optical coherence tomography imaging of rodent cerebral cortex.,”Opt. Express, vol. 19, no. 22, pp. 21258-70, Oct. 2011.
【発明の開示】
【発明が解決しようとする課題】
【０００５】
ところで、近年において、ＯＣＴデバイスによって得られたＯＣＴ信号を用いてモーションコントラスト（例えば、血流などの物体の動き）を取得することが提案されている。また、モーションコントラストを画像化することによって、血管造影画像等が取得される。
【０００６】
このような装置において、例えば、モーションコントラスト画像が不鮮明であった場合、十分な解析が行われない可能性があった。この場合、再びＯＣＴデバイスによって被検体の撮影を行う必要があり、手間であった。しかしながら、従来の装置において、モーションコントラスト画像を撮影する際に撮影結果の良否を確認することは難しかった。
【０００７】
本開示は、従来の問題点に鑑み、撮影結果の確認を好適に行えるＯＣＴ信号処理装置、ＯＣＴ信号処理プログラム、およびＯＣＴ装置を提供することを技術課題とする。
【課題を解決するための手段】
【０００８】
上記課題を解決するために、本開示は以下のような構成を備えることを特徴とする。
【０００９】
（１）  被検体上を走査された測定光と、参照光とに基づいてＯＣＴデバイスによって検出されたＯＣＴ信号を処理するＯＣＴ信号処理装置であって、同一部位における時間の異なる複数のＯＣＴ信号を処理して得られた３次元モーションコントラストデータの良否を確認するための確認画面を表示手段に表示させる制御手段を備え、前記制御手段は、前記３次元モーションコントラストデータを複数の深さ領域に分離するためのセグメンテーション処理を行い、前記セグメンテーション処理によって前記被検体の一部の深さ領域において抽出された前記３次元モーションコントラストデータである深さ領域データに基づくモーションコントラスト画像を前記確認画面に表示させると共に、前記３次元モーションコントラストデータの基礎となる前記複数のＯＣＴ信号を前記ＯＣＴデバイスにより再取得するための検者からの操作信号を受け付けるボタンを前記確認画面上に表示することを特徴とする。
（２）  被検体上を走査された測定光と、参照光とに基づいてＯＣＴデバイスによって検出されたＯＣＴ信号を処理するＯＣＴ信号処理装置において用いられるＯＣＴ信号処理プログラムであって、前記ＯＣＴ信号処理装置のプロセッサによって実行されることで、前記３次元モーションコントラストデータを複数の深さ領域に分離するためのセグメンテーション処理を行い、同一部位における時間の異なる複数のＯＣＴ信号を処理して得られた３次元モーションコントラストデータのうち、前記セグメンテーション処理によって前記被検体の一部の深さ領域において抽出されたモーションコントラストデータである深さ領域データに基づくモーションコントラスト画像を、前記３次元モーションコントラストデータの良否を確認するための確認画面を表示手段に表示させる表示ステップであって、前記３次元モーションコントラストデータの基礎となる前記複数のＯＣＴ信号を前記ＯＣＴデバイスにより再取得するための検者からの操作信号を受け付けるボタンを前記確認画面上に表示するステップと、を前記ＯＣＴ信号処理装置に実行させることを特徴とする。
（３）  走査手段によって被検体上を走査された測定光と、参照光とに基づいてＯＣＴ信号を取得するＯＣＴ光学系と、を備えるＯＣＴ装置であって、前記ＯＣＴ光学系よって取得された同一部位における時間の異なる複数のＯＣＴ信号を処理して得られた３次元モーションコントラストデータの良否を確認するための確認画面を表示手段に表示させる制御手段を備え、前記制御手段は、前記ＯＣＴ光学系による被検体の撮影を開始するためのレリーズ信号を受け付けると、前記走査手段を制御することによって前記複数のＯＣＴ信号を取得し、前記３次元モーションコントラストデータを複数の深さ領域に分離するためのセグメンテーション処理を行い、前記セグメンテーション処理によって前記被検体の一部の深さ領域において抽出された前記３次元モーションコントラストデータである深さ領域データに基づくモーションコントラスト画像を前記確認画面に表示させると共に、前記３次元モーションコントラストデータの基礎となる前記複数のＯＣＴ信号を前記ＯＣＴデバイスにより再取得するための検者からの操作信号を受け付けるボタンを前記確認画面上に表示することを特徴とする。
【図面の簡単な説明】
【００１０】
【図１】本実施例の概略を示すブロック図である。
【図２】ＯＣＴデバイスの光学系の一例を示す図である。
【図３】本実施例の制御動作を示すフローチャートである。
【図４】モーションコントラストの取得について説明するための図である。
【図５】本実施例の表示画面の一例を示す図である。
【図６】本実施例の表示画面の一例を示す図である。
【図７】本実施例の表示画面の変容例を示す図である。
【発明を実施するための形態】
【００１１】
以下、本実施形態を図面に基づいて簡単に説明する。本実施形態のＯＣＴ信号処理装置（例えば、図１のＯＣＴ信号処理装置１）は、例えば、ＯＣＴデバイス（例えば、ＯＣＴデバイス１０）によって取得されたＯＣＴ信号を処理する。
【００１２】
ＯＣＴ信号処理装置は、例えば、制御部（例えば、制御部７０）を主に備える。制御部は、例えば、表示部（例えば、表示部７５）に確認画面（例えば、確認画面８０）を表示させる。確認画面は、例えば、３次元モーションコントラストデータの良否を確認するための画面である。３次元モーションコントラストデータは、例えば、ＯＣＴデバイスによって検出したＯＣＴ信号を処理することで取得される（詳細は後述する）。なお、モーションコントラストは、例えば、物体の動き（例えば、血流、組織変化など）を捉えた情報であってもよい。
【００１３】
ＯＣＴデバイスは、例えば、被検体上を走査された測定光と、参照光とに基づいてＯＣＴ信号を検出する。ＯＣＴデバイスは、例えば、測定光源（例えば、測定光源１０２）と、光分割器（例えば、カップラー１０４）と、参照光学系（例えば、参照光学系１１０）と、測定光学系（例えば、測定光学系１０６）と、走査部（例えば、走査部１０８）と、受光光学系（例えば、検出器１２０）とを備えてもよい。
【００１４】
ＯＣＴデバイスは、例えば、ＯＣＴ信号処理装置の制御部によって制御されてもよいし、ＯＣＴ信号処理装置の制御部とは別に設けられた制御部によって制御されてもよい。
【００１５】
制御部は、例えば、深さ領域データに基づくモーションコントラスト画像を確認画面に表示させてもよい。これによって、検者は、被検体の一部の深さ領域におけるモーションンコントラストデータの良否を確認することができる。これによって、３次元モーションコントラストデータの全体を好適に確認することができる。
【００１６】
なお、深さ領域データは、例えば、被検体の一部の深さ領域において抽出された３次元モーションコントラストデータである。深さ領域データは、例えば、３次元モーションコントラストデータの一部を抽出した３次元データであってもよいし、３次元モーションコントラストデータの一部を抽出した２次元データであってもよい。
【００１７】
なお、深さ領域は、例えば、眼底の網膜層に基づく領域であってもよいし、眼底の血管が密集する層に基づく領域であってもよい。深さ領域は、例えば、測定光の走査方向に広がる領域であって、各走査位置における測定光の光軸方向（例えば、深さ方向、ｚ方向）の位置によって特定される領域であってもよい。深さ領域は、例えば、平面的な領域であってもよいし、曲面的な領域であってもよい。深さ領域は、例えば、深さ方向において幅（例えば、深さ、厚さ）のある領域であってもよいし、幅の無い領域であってもよい。また、深さ領域は、例えば、層領域と表現してもよい。
【００１８】
制御部は、例えば、ＯＣＴデバイスからモーションコントラスト画像を取得してもよいし、ＯＣＴデバイスから取得した３次元モーションコントラストデータに基づいてモーションコントラスト画像を生成してもよい。もちろん、制御部は、ＯＣＴデバイスから取得したＯＣＴ信号に基づいて３次元モーションコントラストデータを演算してもよい。３次元モーションコントラストデータは、例えば、同一部位において取得された時間の異なる複数のＯＣＴ信号を演算処理することによって取得される。
【００１９】
なお、制御部は、複数のモーションコントラスト画像を確認画面に切り替え可能に表示させてもよい。複数のモーションコントラスト画像は、例えば、複数の深さ領域データ毎に生成された画像であってもよい。この場合、複数の深さ領域データは、互いに深さの異なる複数の深さ領域においてそれぞれ抽出されたモーションコントラストデータであってもよい。これによって、検者は、深さの異なる深さ領域におけるモーションコントラストデータを確認でき、より好適に良否を確認できる。
【００２０】
なお、制御部は、複数のモーションコントラスト画像を確認画面に並べて表示させてもよい。これによって、検者は、深さの異なる複数の深さ領域におけるモーションコントラストデータを容易に比較できる。
【００２１】
なお、制御部は、病変の含まれる深さ領域におけるモーションコントラスト画像を確認画面に表示させてもよい。この場合、制御部は、３次元モーションコントラストデータに基づいて病変の含まれる深さ領域を特定してもよい。例えば、制御部は、３次元モーションコントラストデータに基づいて病変を検出し、検出された病変の含まれる深さ領域を特定してもよい。これによって、検者は、病変部のモーションコントラストデータが鮮明に取得されているか否かを容易に確認することができる。
【００２２】
なお、制御部は、関連情報に基づいて特定した深さ領域におけるモーションコントラスト画像を確認画面に表示させてもよい。関連情報は、例えば、患者の病歴，撮影条件等の情報であってもよい。制御部は、例えば、ＯＣＴデバイス、記憶部（例えば、記憶部７４）等から関連情報を取得してもよい。これによって、確認画面に表示させるモーションコントラスト画像の深さ領域を指定する手間が省ける。
【００２３】
もちろん、制御部は、予め設定された深さ領域におけるモーションコントラスト画像を確認画面に表示させてもよい。
【００２４】
なお、制御部は、確認画面に表示させるモーションコントラスト画像の表示倍率を切り替えてもよい。例えば、制御部は、モーションコントラスト画像を確認画面に表示するときの表示倍率を、第１の表示倍率と、第１の表示倍率とは異なる第２の表示倍率とで切り替えてもよい。これによって、検者は、例えば、拡大表示されたモーションコントラスト画像を観察することによって、より的確に３次元モーションコントラストの良否を確認することができる。もちろん、制御部は、互いに表示倍率の異なる複数のモーションコントラスト画像を確認画面に並べて表示させてもよい。
【００２５】
なお、制御部は、取得された走査ラインに対応する画素列から順次、モーションコントラスト画像を確認画面に表示させてもよい。これによって、検者は、３次元モーションコントラストデータの取得が完了する前に良否を確認することができる。したがって、途中でアーチファクト（例えば、被検体の構造とは関係のない不要な信号）が生じた場合は、その時点で撮り直しを行うことができる。
【００２６】
なお、制御部は、３次元モーションコントラストデータの良否を評価するための指標を確認画面に表示してもよい。これによって、検者は、３次元モーションコントラストデータの良否を定量的に把握することができる。なお、指標は、例えば、３次元モーションコントラストデータの鮮明さを示す指標であってもよい。
【００２７】
なお、制御部は、複数の深さ領域データ毎に演算された指標を確認画面に表示させてもよい。例えば、制御部は、複数の深さ領域データ毎に演算された複数の指標のうち少なくとも一つを確認画面に表示させてもよい。これによって異なる深さ領域における指標を比較することができる。もちろん、制御部は、３次元モーションコントラストデータの全体に関して演算された指標を確認画面に表示させてもよい。例えば、制御部は、複数の深さ領域をまとめて演算した全層の指標を確認画面に表示させてもよい。
【００２８】
なお、３次元モーションコントラストを評価するための指標は、例えば、強度画像の積算値とモーションコントラスト画像の積算値の比率であってもよい。この比率を計算する場合は、ある一つの走査ラインにおける両者の比率を指標としてもよいし、複数の走査ラインにおける両者の比率を指標としてもよい。例えば、アーチファクトがある場合、上記の指標が小さくなる。したがって、検者は、指標が小さい場合に３次元モーションコントラストデータが不適であると判断し、指標が大きい場合に３次元モーションコントラストデータが適切であると判断してもよい。
【００２９】
なお、指標は、モーションコントラスト画像を作成する際の複素ＯＣＴ信号どうしの相関値であってもよいし、強度画像どうしの相関値であってもよい。これらの相関値によって、例えば、測定光を被検体の同じ走査ラインを複数回にわたって走査する際の被検眼のずれの大きさが評価される。例えば、相関値が１に近いほど相関が高く、被検眼のずれが小さいと判断される。したがって、検者は、相関値を確認することで、被検眼のずれによって生じるアーチファクトの程度を確認することができる。
【００３０】
例えば、指標は、モーションコントラスト画像を作成するために取得された同一部位における時間の異なる複数のＯＣＴ信号に基づいて演算されてもよい。この場合、制御部は、複数のＯＣＴ信号を処理して得られたモーションコントラストに基づいて指標を演算してもよい。
【００３１】
なお、制御部は、確認画面に一部の解析結果を表示させてもよい。例えば、制御部は、確認画面に解析結果の一部を表示させ、さらに解析画面において解析結果の残りを表示させてもよい。例えば、確認画面には、処理時間の短い解析結果を表示させ、解析画面には、処理時間の長い解析結果を表示させてもよい。これによって、検者は、確認画面に表示された解析結果の一部を確認した時点で、３次元モーションコントラストデータの良否を判断することができる。したがって、検者は、解析画面によって処理時間の長い解析結果を確認することなく、撮り直しの判断を行うことができる。
【００３２】
なお、制御部は、深さ領域データに基づくＥｎｆａｃｅ画像を確認画面に表示してもよい。ここで、Ｅｎｆａｃｅとは、例えば、眼底面に対して水平な面、または眼底２次元水平断層面のことであってもよい。
【００３３】
なお、制御部は、検者に操作させる操作部（例えば、操作部７６）から出力される操作信号を受け付けてもよい。この場合、例えば、制御部は、確認画面を表示させているときに受け付けた操作信号に基づいて、再撮影信号を出力してもよい。再撮影信号は、例えば、ＯＣＴデバイスによって再度検出された同一部位における時間の異なる複数のＯＣＴ信号を処理して３次元モーションコントラストデータを取得し直すための信号である。
【００３４】
したがって、本実施形態のＯＣＴ信号処理装置において、例えば、制御部は、検者に操作される操作部から出力される操作信号を受け付け、確認画面を表示させているときに受け付けた操作信号に基づいて、ＯＣＴデバイスによって再度検出された時間の異なる複数のＯＣＴ信号を処理して得られる３次元モーションコントラストデータを取得し直すための再撮影信号を出力してもよい。
【００３５】
なお、制御部は、確認画面を表示しているときに受け付けた操作部からの操作信号に基づいて、確認画面に表示しているモーションコントラスト画像の基となる３次元モーションコントラストデータを記憶部に記憶させるか、または記憶部に記憶させずに削除してもよい。例えば、検者は、確認画面によって３次元モーションコントラストの良否を判断し、３次元モーションコントラストを記憶部に記憶させるか、削除するかを操作部によって入力してもよい。
【００３６】
したがって、本実施形態のＯＣＴ信号処理装置において、例えば、制御部は、検者に操作される操作手段から出力される操作信号を受け付け、確認画面を表示しているときに受け付けた操作信号に基づいて、３次元モーションコントラストデータを記憶部に記憶させるか、または削除するかを判定してもよい。
【００３７】
なお、制御部は、確認画面を表示した後に、前記３次元モーションコントラストデータの解析結果を表示するための解析画面を表示部に表示させてもよい。例えば、制御部は、確認画面を表示した後に受け付けた操作部からの操作信号に基づいて、確認画面から解析画面へと表示を切り替えてもよい。例えば、制御部は、操作信号に基づいて、３次元モーションコントラストデータを記憶部に記憶させた後で解析画面を表示させてもよい。
【００３８】
したがって、本実施形態のＯＣＴ信号処理装置において、例えば、制御部は、確認画面を表示した後に、３次元モーションコントラストデータを解析するための解析画面を表示させてもよい。
【００３９】
なお、制御部は、ＯＣＴデバイスによって被検眼の撮影を行うためのレリーズ信号に基づいて、表示部に確認画面を表示させてもよい。この場合、制御部は、レリーズ信号に基づいて、ＯＣＴデバイスによるＯＣＴ信号の取得を開始してもよい。例えば、制御部は、レリーズ信号に基づいて走査部の走査を開始させてもよい。制御部は、例えば、レリーズ信号に基づいて取得された同一部位における時間の異なる複数のＯＣＴ信号を処理して３次元モーションコントラストデータを取得してもよい。そして、制御部は、例えば、前記３次元モーションコントラストデータのうち前記被検体の一部の深さ領域において抽出された深さ領域データに基づくモーションコントラスト画像を確認画面に表示させてもよい。
【００４０】
なお、制御部は、プロセッサ（例えば、ＣＰＵ７１）、記憶部（例えば、ＲＯＭ７２、記憶部７４など）を備えてもよい。プロセッサは、記憶部に記憶されたＯＣＴ信号処理プログラムをＯＣＴ信号処理装置に実行させてもよい。例えば、ＯＣＴ信号処理プログラムは、表示制御ステップを含んでもよい。表示制御ステップは、例えば、前述の深さ領域データに基づくＥｎｆａｃｅ画像を確認画面に表示するステップであってもよい。
【００４１】
＜実施例＞
以下、本実施例のＯＣＴ信号処理装置について図面を用いて説明する。図１に示すＯＣＴ信号処理装置１は、ＯＣＴデバイス１０によって取得されたＯＣＴ信号を処理する。
【００４２】
ＯＣＴ信号処理装置１は、例えば、制御部７０を備える。制御部７０は、例えば、一般的なＣＰＵ（Central Processing Unit）７１、ＲＯＭ７２、ＲＡＭ７３、等で実現される。ＲＯＭ７２には、例えば、ＯＣＴ信号を処理するためのＯＣＴ信号処理プログラム、ＯＣＴデバイス１０の動作を制御するための各種プログラム、初期値等が記憶される。ＲＡＭ７３は、例えば、各種情報を一時的に記憶する。なお、制御部７０は、複数の制御部（つまり、複数のプロセッサ）によって構成されてもよい。
【００４３】
制御部７０には、図１に示すように、例えば、記憶部（例えば、不揮発性メモリ）７４、操作部７６、および表示部７５等が電気的に接続されている。記憶部７４は、例えば、電源の供給が遮断されても記憶内容を保持できる非一過性の記憶媒体である。例えば、ハードディスクドライブ、フラッシュＲＯＭ、着脱可能なＵＳＢメモリ等を記憶部７４として使用することができる。
【００４４】
操作部７６には、検者による各種操作指示が入力される。操作部７６は、入力された操作指示に応じた信号をＣＰＵ７１に出力する。操作部７６には、例えば、マウス、ジョイスティック、キーボード、タッチパネル等の少なくともいずれかのユーザーインターフェイスを用いればよい。
【００４５】
表示部７５は、装置１の本体に搭載されたディスプレイであってもよいし、本体に接続されたディスプレイであってもよい。例えば、パーソナルコンピュータ（以下、「ＰＣ」という。）のディスプレイを用いてもよい。複数のディスプレイが併用されてもよい。また、表示部７５は、タッチパネルであってもよい。表示部７５がタッチパネルである場合、表示部７５は操作部７６として兼用されてもよい。表示部７５は、例えば、ＯＣＴデバイス１０によって取得されたＯＣＴ画像、モーションコントラスト画像等を表示する。
【００４６】
なお、本実施例のＯＣＴ信号処理装置１は、例えば、ＯＣＴデバイス１０が接続されている。接続方法は、無線であってもよいし、有線であってもよいし、その両方であってもよい。なお、ＯＣＴ信号処理装置１は、例えば、ＯＣＴデバイス１０と同一の筐体に収納された一体的な構成であってもよいし、別々の構成であってもよい。制御部７０は、接続されたＯＣＴデバイス１０からＯＣＴ信号，モーションコントラストデータ，Ｅｎｆａｃｅ画像等の少なくともいずれかのＯＣＴデータを取得してもよい。もちろん、制御部７０は、ＯＣＴデバイス１０と接続されていなくともよい。この場合、制御部７０は、記憶媒体を介してＯＣＴデバイス１０によって撮影されたＯＣＴデータを取得してもよい。
【００４７】
＜ＯＣＴデバイス＞
以下、図２に基づいてＯＣＴデバイス１０の概略を説明する。例えば、ＯＣＴデバイス１０は、被検眼Ｅに測定光を照射し、その反射光と測定光とによって取得されたＯＣＴ信号を取得する。ＯＣＴデバイス１０は、例えば、ＯＣＴ光学系１００を主に備える。
【００４８】
＜ＯＣＴ光学系＞
ＯＣＴ光学系１００は、被検眼Ｅに測定光を照射し、その反射光と参照光との干渉信号を検出する。ＯＣＴ光学系１００は、例えば、測定光源１０２と、カップラー（光分割器）１０４と、測定光学系１０６と、参照光学系１１０と、検出器１２０等を主に備える。
【００４９】
ＯＣＴ光学系１００は、いわゆる光断層干渉計（ＯＣＴ：Optical coherence tomography）の光学系である。ＯＣＴ光学系１００は、測定光源１０２から出射された光をカップラー１０４によって測定光（試料光）と参照光に分割する。分割された測定光は測定光学系１０６へ、参照光は参照光学系１１０へそれぞれ導光される。測定光は測定光学系１０６を介して被検眼Ｅの眼底Ｅｆに導かれる。その後、被検眼Ｅによって反射された測定光と，参照光との合成による干渉光を検出器１２０に受光させる。
【００５０】
測定光学系１０６は、例えば、走査部（例えば、光スキャナ）１０８を備える。走査部１０８は、例えば、被検眼上の撮像位置を変更するため、被検眼上における測定光の走査位置を変更する。例えば、ＣＰＵ７１は、設定された走査位置情報に基づいて走査部１０８の動作を制御し、検出器１２０によって検出された受光信号に基づいてＯＣＴ信号を取得する。
【００５１】
走査部１０８は、例えば、眼底上でＸＹ方向（横断方向）に測定光を走査させる。走査部１０８は、瞳孔と略共役な位置に配置される。例えば、走査部１０８は、２つのガルバノミラー５１，５２を有し、その反射角度が駆動機構５０によって任意に調整される。これによって、光源１０２から出射された光束はその反射（進行）方向が変化され、眼底上で任意の方向に走査される。つまり、眼底Ｅｆ上における「Ｂスキャン」が行われる。なお、走査部１０８としては、光を偏向させる構成であればよい。例えば、反射ミラー（ガルバノミラー、ポリゴンミラー、レゾナントスキャナ）の他、光の進行（偏向）方向を変化させる音響光学素子（ＡＯＭ）等が用いられる。
【００５２】
参照光学系１１０は、眼底Ｅｆでの測定光の反射によって取得される反射光と合成される参照光を生成する。参照光学系１１０は、マイケルソンタイプであってもよいし、マッハツェンダタイプであっても良い。参照光学系１１０は、例えば、反射光学系（例えば、参照ミラー）によって形成され、カップラー１０４からの光を反射光学系により反射することにより再度カップラー１０４に戻し、検出器１２０に導く。他の例としては、参照光学系１１０は、透過光学系（例えば、光ファイバー）によって形成され、カップラー１０４からの光を戻さず透過させることにより検出器１２０へと導く。
【００５３】
参照光学系１１０は、例えば、参照光路中の光学部材を移動させることによって、測定光と参照光との光路長差を変更する構成を有する。例えば、参照ミラーが光軸方向に移動される。なお、光路長差を変更するための構成は、導光光学系１０６の光路中に配置されてもよい。
【００５４】
検出器１２０は、測定光と参照光との干渉状態を検出する。フーリエドメインＯＣＴの場合では、干渉光のスペクトル強度が検出器１２０によって検出され、スペクトル強度データに対するフーリエ変換によって所定範囲における深さプロファイル（Ａスキャン信号）が取得される。
【００５５】
なお、ＯＣＴデバイス１０として、例えば、Spectral-domain OCT（ＳＤ−ＯＣＴ）、Swept-source OCT（ＳＳ−ＯＣＴ）、Time-domain OCT（ＴＤ−ＯＣＴ）等が用いられてもよい。
【００５６】
ＳＤ−ＯＣＴの場合、光源１０２として低コヒーレント光源（広帯域光源）が用いられ、検出器１２０には、干渉光を各周波数成分（各波長成分）に分光する分光光学系（スペクトルメータ）が設けられる。スペクトルメータは、例えば、回折格子とラインセンサからなる。
【００５７】
ＳＳ−ＯＣＴの場合、光源１０２として出射波長を時間的に高速で変化させる波長走査型光源（波長可変光源）が用いられ、検出器１２０として、例えば、単一の受光素子が設けられる。光源１０２は、例えば、光源、ファイバーリング共振器、及び波長選択フィルタによって構成される。そして、波長選択フィルタとして、例えば、回折格子とポリゴンミラーの組み合わせ、ファブリー・ペローエタロンを用いたものが挙げられる。
【００５８】
＜正面撮影光学系＞
正面撮影光学系２００は、例えば、被検眼Ｅの眼底Ｅｆを正面方向（例えば、測定光の光軸方向）から撮影し、眼底Ｅｆの正面画像を得る。正面撮影光学系２００は、例えば、光源から発せられた測定光（例えば、赤外光）を眼底上で二次元的に走査させる第２の走査部と、眼底と略共役位置に配置された共焦点開口を介して眼底反射光を受光する第２の受光素子と、を備え、いわゆる走査型レーザ検眼鏡（ＳＬＯ）の装置構成であってもよい（例えば、特開２０１５−６６２４２号公報参照）。なお、正面撮影光学系２００の構成としては、いわゆる眼底カメラタイプの構成であってもよい（特開２０１１−１０９４４参照）。なお、本実施例の正面撮影光学系２００は、測定光学系１０６の一部の光学素子を兼用している。
【００５９】
＜固視標投影部＞
固視標投影部３００は、眼Ｅの視線方向を誘導するための光学系を有する。投影部３００は、眼Ｅに呈示する固視標を有し、複数の方向に眼Ｅを誘導できる。
【００６０】
例えば、固視標投影部３００は、可視光を発する可視光源を有し、視標の呈示位置を二次元的に変更させる。これによって、視線方向が変更され、結果的に撮像部位が変更される。例えば、撮影光軸と同方向から固視標が呈示されると、眼底の中心部が撮像部位として設定される。また、撮影光軸に対して固視標が上方に呈示されると、眼底の上部が撮像部位として設定される。すなわち、撮影光軸に対する視標の位置に応じて撮影部位が変更される。
【００６１】
固視標投影部３００としては、例えば、マトリクス状に配列されたＬＥＤの点灯位置により固視位置を調整する構成、光スキャナを用いて光源からの光を走査させ、光源の点灯制御により固視位置を調整する構成等、種々の構成が考えられる。また、固視標投影部３００は、内部固視灯タイプであってもよいし、外部固視灯タイプであってもよい。
【００６２】
＜制御動作＞
以上のようなＯＣＴ信号処理装置１において、ＯＣＴデバイス１０によって取得されたＯＣＴデータを処理するときの制御動作を図３のフローチャートに基づいて説明する。本実施例のＯＣＴ信号処理装置１は、例えば、ＯＣＴデバイス１０によって検出されたＯＣＴ信号を処理してモーションコントラストを取得する。
【００６３】
（ステップＳ１）
＜ＯＣＴ信号の取得＞
まず、ＯＣＴ信号処理装置１は、ＯＣＴ信号を取得する。例えば、ＣＰＵ７１は、ＯＣＴデバイス１０によって検出されたＯＣＴ信号を取得し、そのデータを記憶部７４等に記憶させる。なお、以下の説明では、例えば、ＣＰＵ７１がＯＣＴデバイス１０を制御してＯＣＴ信号を取得するが、ＯＣＴデバイス１０に個別に制御部が設けられてもよい。
【００６４】
以下、ＯＣＴデバイス１０によってＯＣＴ信号を検出する方法を説明する。例えば、ＣＰＵ７１は、固視標投影部３００を制御して被検者に固視標を投影する。そして、ＣＰＵ７１は、図示無き前眼部観察用カメラで撮影される前眼部観察像に基づいて、被検眼Ｅの瞳孔中心に測定光軸がくるように図示無き駆動部を制御して自動でアライメントを行う。
【００６５】
アライメントが完了すると、ＣＰＵ７１はＯＣＴデバイス１０を制御し、被検眼Ｅの撮影を行う。例えば、ＣＰＵ７１は、眼底Ｅｆにおいて測定光を走査させる。例えば、図４（ａ）に示すように、ＣＰＵ７１は、走査部１０８の駆動を制御し、眼底Ｅｆ上の領域Ａ１において測定光を走査させる。なお、図４（ａ）において、ｚ軸の方向は、測定光の光軸の方向とする。ｘ軸の方向は、ｚ軸に垂直であって被検者の左右方向とする。ｙ軸の方向は、ｚ軸に垂直であって被検者の上下方向とする。
【００６６】
例えば、ＣＰＵ７１は、領域Ａ１において走査ラインＳＬ１，ＳＬ２，・・・，ＳＬｎに沿ってｘ方向に測定光を走査させる。なお、測定光の光軸方向に交差する方向（例えば、ｘ方向）に測定光を走査させることを「Ｂスキャン」と呼ぶ。そして、１回のＢスキャンによって得られたＯＣＴ信号を１フレームのＯＣＴ信号として説明する。ＣＰＵ７１は、測定光を走査する間、検出器１２０によって検出されたＯＣＴ信号を取得する。ＣＰＵ７１は、例えば、領域Ａ１において取得されたＯＣＴ信号を記憶部７４に記憶させる。なお、領域Ａ１は、上記のように、ｘｙ方向の走査領域であってｘ方向の走査ラインがｙ方向に複数並んだ走査領域であってもよい。したがって、ＣＰＵ７１は、例えば、ｘｙ方向に２次元的に測定光を走査させ、各走査位置においてｚ方向のＡスキャン信号を得る。つまり、ＣＰＵ７１は、例えば、３次元データを取得する。
【００６７】
なお、本実施例では、ＯＣＴ信号に基づいてモーションコントラストを取得する。モーションコントラストは、例えば、被検眼の血流、網膜組織の変化などを捉えた情報であってもよい。モーションコントラストを取得する場合、ＣＰＵ７１は、被検眼の同一位置に関して時間的に異なる少なくとも２つのＯＣＴ信号を取得する。例えば、ＣＰＵ７１は、各走査ラインにおいて時間間隔を空けて複数回のＢスキャンを行い、時間の異なる複数のＯＣＴ信号を取得する。例えば、ＣＰＵ７１は、ある時間において１回目のＢスキャンを行った後、所定時間経過してから１回目と同じ走査ラインで２回目のＢスキャンを行う。ＣＰＵ７１は、このときに検出器１２０によって検出されたＯＣＴ信号を取得することによって、時間の異なる複数のＯＣＴ信号を取得してもよい。
【００６８】
例えば、図４（ｂ）は、走査ラインＳＬ１，ＳＬ２，・・・，ＳＬｎにおいて時間の異なる複数回のＢスキャンを行った場合に取得されたＯＣＴ信号を示している。例えば、図４（ｂ）は、走査ラインＳＬ１を時間Ｔ１１，Ｔ１２，・・・，Ｔ１Ｎで走査し、走査ラインＳＬ２を時間Ｔ２１，Ｔ２２，・・・，Ｔ２Ｎで走査し、走査ラインＳＬｎを時間Ｔｎ１，Ｔｎ２，・・・，ＴｎＮで走査した場合を示している。このように、ＣＰＵ７１はＯＣＴデバイス１０を制御し、各走査ラインにおいて時間の異なる複数回のＢスキャンを行うことによって、時間の異なる複数のＯＣＴ信号を取得してもよい。例えば、ＣＰＵ７１は、同一位置における時間の異なる複数のＯＣＴ信号を取得し、そのデータを記憶部７４に記憶させる。
【００６９】
（ステップＳ２）
＜モーションコントラストの取得＞
ＣＰＵ７１は上記のようにＯＣＴ信号を取得すると、ＯＣＴ信号を処理してモーションコントラストを取得する。モーションコントラストを取得するためのＯＣＴ信号の演算方法としては、例えば、複素ＯＣＴ信号の強度差を算出する方法、複素ＯＣＴ信号の位相差を算出する方法、複素ＯＣＴ信号のベクトル差分を算出する方法、複素ＯＣＴ信号の位相差及びベクトル差分を掛け合わせる方法、信号の相関を用いる方法（コリレーションマッピング）などが挙げられる。本実施例では、モーションコントラストとして位相差を算出する方法を例に説明する。
【００７０】
例えば、位相差を算出する場合、ＣＰＵ７１は複数のＯＣＴ信号をフーリエ変換する。例えば、Ｎフレーム中ｎ枚目の（ｘ，ｚ）の位置の信号をＡｎ（ｘ，ｚ）で表すと、ＣＰＵ７１は、フーリエ変換によって複素ＯＣＴ信号Ａｎ（ｘ，ｚ）を得る。複素ＯＣＴ信号Ａｎ（ｘ，ｚ）は、実数成分と虚数成分とを含む。
【００７１】
ＣＰＵ７１は、同じ位置の少なくとも２つの異なる時間に取得された複素ＯＣＴ信号Ａ（ｘ，ｚ）に対して位相差を算出する。例えば、ＣＰＵ７１は下記の式（１）を用いて、位相差を算出する。例えば、ＣＰＵ７１は、各走査ラインにおいて位相差を算出し（図４（ｃ）参照）、そのデータを記憶部７４に記憶させてもよい。なお、数式中のＡｎは時間ＴＮに取得された信号を示し、＊は複素共役を示している。
【００７２】
【数１】
0006606881.tif 000002
【００７３】
上記のように、ＣＰＵ７１は、ＯＣＴ信号に基づいて被検眼Ｅの３次元モーションコントラストデータを取得する。なお、前述のように、モーションコントラストとしては、位相差に限らず、強度差、ベクトル差分等が取得されてもよい。
【００７４】
（ステップＳ３）
＜確認画面の表示＞
被検眼の撮影が行われると、ＣＰＵ７１は、例えば、図５に示すような確認画面８０を表示部７５に表示する。確認画面８０は、モーションコントラストデータ（以下、ＭＣデータと略す）の良否を確認するための画面である。例えば、ＣＰＵ７１は、第１表示領域８１、第２表示領域８２、第３表示領域８３、第１切替部８４、第２切替部８５等を確認画面８０Ａに表示する（図５（ａ）参照）。
＜第１表示領域＞
第１表示領域８１は、モーションコントラスト画像（以下、ＭＣ画像と略す）が表示される領域である。ＣＰＵ７１は、例えば、任意の深さ領域のＭＣ画像を第１表示領域８１に表示する。本実施例のようにＯＣＴデバイス１０によって被検眼Ｅの眼底Ｅｆを撮影した場合、ＭＣ画像は血管造影画像（いわゆるOCT Angiography像）として観察される。ＭＣ画像は、例えば、３次元モーションコントラスト画像（以下、３次元ＭＣ画像と略す）であってもよいし、モーションコントラスト正面画像（以下、ＭＣ正面画像と略す）であってもよい。ここで、正面画像とは、いわゆるEn face画像であってもよい。En faceとは、例えば、眼底面に対して水平な面、または眼底２次元水平断層面などのことである。
【００７５】
なお、３次元ＭＣデータからＭＣ正面画像を生成する方法としては、例えば、深さ方向の少なくとも一部の深さ領域に関してＭＣデータを取り出す方法などが挙げられる。この場合、少なくとも一部の深さ領域におけるＭＣデータのプロファイルを用いてＭＣ正面画像が生成されてもよい。
【００７６】
＜第１切替部＞
第１切替部８４は、第１表示領域８１に表示させるＭＣ画像の深さ領域を指定するインターフェースである。第１切替部８４は、例えば、チェックボックス（図５参照）、ボタン、スライダー等であってもよい。例えば、第１切替部８４は、神経線維層（nerve fiber layer: NFL）、神経節細胞層（ganglion cell layer: GCL）、網膜色素上皮（retinal pigment epithelium: RPE）、脈絡膜（choroid）等の網膜層毎に深さ領域を切り替えられるようにしてもよい。また、第１切替部８４は、血管の分布に基づいて、表層（ＳＣＰ：Superficial Capillary Plexus）、中間層（ＩＣＰ：Intermediate Capillary Plexus）、深層（ＤＣＰ：Deep Capillary Plexus）等に深さ領域を切り替えられるようにしてもよい。もちろん、上記の層に限らず、第１切替部８４は、各網膜層の境界から所定の範囲内に設定された深さ領域、または検者が独自に設定した深さ領域に切り替えできてもよい。また、深さ領域は、例えば、複数の網膜層を合わせた領域であってもよい。
【００７７】
例えば、ＣＰＵ７１は、第１切替部８４によって指定された深さ領域におけるＭＣ画像を第１表示領域８１に表示する。例えば、ＣＰＵ７１は、セグメンテーション処理によってＭＣデータを複数の深さ領域に分離し、分離された各深さ領域のうち、第１切替部８４によって指定された深さ領域におけるＭＣデータを取り出して第１表示領域８１に表示する。
【００７８】
なお、セグメンテーション処理によって深さ領域を分離する場合、例えば、ＣＰＵ７１は、強度画像のエッジ検出によって検出された網膜層の境界に基づいて深さ領域を分離させてもよいし、ＭＣ画像から検出された血管の分布に基づいて深さ領域を分離させてもよい。ここで、強度画像とは、例えば、ＯＣＴ信号の強度（Intensity）に応じて輝度値が決定された画像である。
【００７９】
図５（ａ）は、第１切替部８４によってＳＣＰが指定されたときの確認画面８０Ａの様子である。この場合、第１表示領域８１に表示されたＭＣ画像には、ＳＣＰ付近の太い血管が主に確認される。一方、図５（ｂ）は、第１切替部８４によってＤＣＰが指定されたときの確認画面８０Ａの様子である。この場合、第１表示領域８１に表示されたＭＣ画像には、ＤＣＰ付近の細い血管が主に観察される。このように、ＣＰＵ７１は、第１表示領域８１に表示させるＭＣ画像の深さ領域の深さを切り替えることができる。これによって、深さの異なる深さ領域ごとにＭＣデータの良否を確認することができる。
【００８０】
＜第２切替部８５＞
第２切替部８５は、確認画面８０Ａと確認画面８０Ｂ（図６参照）とを切り替えるためのインターフェースである。ＣＰＵ７１は、第２切替部８５が操作されると、確認画面８０Ａと確認画面８０Ｂとを切り替える。第２切替部８５は、例えば、ボタン、チェックボックス等であってもよい。
【００８１】
＜第２表示領域＞
第２表示領域８２は、ＯＣＴ信号の強度に基づく強度画像が表示される領域である。第２表示領域８２は、例えば、マップ上の任意の１ラインの強度画像が表示される。なお、ＣＰＵ７１は、例えば、強度画像とＭＣ画像を切り替えて第２表示領域８２に表示してもよいし、重ねて表示してもよい。なお、第１切替部８４によって指定された深さ領域に応じて、第２表示領域８２に表示された強度画像の対応する領域を線や塗りつぶし等で強調して表示させてもよい。
【００８２】
＜第３表示領域＞
第３表示領域８３は、ＭＣ画像の鮮明さを示す指標（Motion Contrast Index: ＭＣＩ）が表示される領域である。ＣＰＵ７１は、例えば、ＭＣＩとして第３表示領域に８３に数値を表示してもよいし、グラフィックを表示してもよい。検者は、指標を参考にＭＣデータの良否を判断することができる。なお、ＣＰＵ７１は、ＭＣＩを基準にして自動で再撮影を行うようにしてもよい。この場合は、第３表示領域８３にＭＣＩを表示しなくともよい。
【００８３】
ＭＣＩは、例えば、式（２）に示すように、ある走査ラインにおける強度画像の積算値とＭＣ画像の積算値との比率であってもよい。
【数２】
0006606881.tif 000003
【００８４】
ここで、式（２）中のAngiogramはＭＣ画像、Intensityは強度画像であり、x,zは座標、tは時間（フレーム）である。
【００８５】
この場合、アーチファクト（例えば、被検体の構造とは関係のない不要な信号）がある走査ラインでは比率が大きくなり、ＭＣＩが１に近いほどアーチファクトがない鮮明なＭＣ画像になる。
【００８６】
また、ＭＣＩは、式（３）に示すように、ＭＣ画像を作成する際の複素ＯＣＴ信号どうしの相関値Γであってもよい（非特許文献１参照）。
【数３】
0006606881.tif 000004
【００８７】
ここで、Rは複素ＯＣＴ信号、R*はRの複素共役、x,zは座標、tは時間（フレーム）、t0は基準となる時間（フレーム）である。
【００８８】
この場合、相関値Γが１に近いほど眼のずれが小さいため鮮明なＭＣ画像が得られる。一方、眼が動くと複素ＯＣＴ信号どうしの相関値Γは低下し、ＭＣ画像は不鮮明となる。
【００８９】
また、ＭＣＩは、強度画像どうしの相関値であってもよい。この場合には、式（４）に示すような正規化相互相関（ZNCC）を用いることができる。
【数４】
0006606881.tif 000005
【００９０】
ここで、Rは複素OCT信号、Nは全画素数、x,zは座標、tは時間（フレーム）、である。
【００９１】
この場合、ZNCCの値が１に近いほど相関が高く（目のずれが小さく）、鮮明なＭＣ画像になり、ZNCCの値が０に近いほど相関が低く、不鮮明なＭＣ画像になる。
【００９２】
なお、ＣＰＵ７１は、第１切替部８４によって指定された深さ領域に対応するＭＣＩを第３表示領域８３に表示してもよい。例えば、第１切替部８４によって深さ領域が切り替えられた場合、ＣＰＵ７１は、切り替えられた深さ領域に対応するようにＭＣＩの表示を切り替えてもよい。もちろん、ＣＰＵ７１は、各層に対応する複数のＭＣＩを表示させてもよい。
【００９３】
なお、ＣＰＵ７１は、ＭＣＩの他に、例えば、強度画像の鮮明さを示す指標、および正面観察光学系２００によって撮影された被検眼Ｅの正面観察画像の鮮明さを示す指標などを第３表示領域８３に表示させてもよい（図５参照）。
【００９４】
図６に示す確認画面８０Ｂには、例えば、上記の第２表示領域８２、第３表示領域８３、第１切替部８４、第２切替部８５の他に、第４表示領域８６が表示される。例えば、第４表示領域８６は、第１表示領域８１のＭＣ画像とは表示倍率の異なるＭＣ画像が表示される領域である。
【００９５】
＜第４表示領域＞
例えば、図６に示すように、ＣＰＵ７１は、第１表示領域８１のＭＣ画像に比べて表示倍率が小さいＭＣ画像を第４表示領域８６に表示する。図６の例では、ＣＰＵ７１は、正面観察光学系２００によって撮影された被検眼Ｅの正面観察画像と、それに重畳されるＭＣ画像を第４表示領域８６に表示する。
【００９６】
ＣＰＵ７１は、例えば、第２切替部８５の操作に応じて確認画面８０Ａと確認画面８０Ｂとを切り替えることによって、ＭＣ画像の表示倍率を切り替える。例えば、検者は、拡大されたＭＣ画像が表示された第１表示領域８１によって毛細血管の鮮明さを確認し、第４表示領域のＭＣ画像によってＯＣＴ信号を取得した領域Ａ１の位置を確認することができる。なお、ＣＰＵ７１は、別のウィンドウにＭＣ画像を拡大表示させてもよいし、ＭＣ画像の一部の選択された領域を拡大表示させてもよい。また、ＣＰＵ７１は、異なる表示倍率のＭＣ画像を一つの画面に並べて表示してもよい。もちろん、ＭＣ画像の表示倍率は、予め設定されてもよいし、任意の表示倍率に変更されてもよい。
【００９７】
検者は、確認画面８０によって、ＭＣデータの良否を確認する。例えば、検者は、第１表示領域８１に表示させるＭＣ画像の深さ領域を第１切替部８４によって切り替え、所望の深さ領域におけるＭＣ画像を確認する。また、検者は、第２切替部８５によって適宜ＭＣ画像の表示倍率を変更してもよい。また、検者は、第３表示領域８３に表示されたＭＣＩを参考にＭＣデータの良否を確認してもよい。
【００９８】
上記のように、検者は、例えば、確認画面８０によってＭＣ画像の良否を確認し、撮影が上手く行われたか否か判断する。例えば、検者は、撮影が上手く行われたと判断した場合には、図５のＯＫボタン８７を押し、撮影が上手く行われなかったと判断した場合には、リトライボタン８８を押す。
【００９９】
（ステップＳ４）
＜撮影の成否判定＞
検者によってリトライボタン８８が押されると、ＣＰＵ７１は、例えば、取得されたＯＣＴデータを放棄し（ステップＳ５）、再びＯＣＴデバイス１０による被検眼Ｅの撮影を行う（ステップＳ１）。一方、検者によってＯＫボタン８７が押されると、ＣＰＵ７１は、例えば、取得されたＯＣＴデータを記憶部７４に記憶させる。
【０１００】
（ステップＳ６）
＜解析画面の表示＞
撮影が完了すると、例えば、ＣＰＵ７１は、表示部７５に解析画面（不図示）を表示してもよい。解析画面は、例えば、記憶部７４に記憶されたＯＣＴデータを解析し、その解析結果を表示するための画面である。例えば、ＣＰＵ７１は、処理時間の長い解析処理によって得られた詳細な解析結果を解析画面に表示する。検者は、解析画面によって被検眼Ｅの詳細な解析結果を確認する。なお、ＣＰＵ７１は、例えば、確認画面８０から解析画面に移行させてもよいし、他の画面を経由させてもよい。例えば、ＣＰＵ７１は、確認画面８０から撮影結果の一覧画面を表示し、一覧画面において選択された撮影結果に関する解析画面を表示させてもよい。
【０１０１】
以上のように、確認画面８０に検者の所望する深さ領域のＭＣ画像を表示させることによって、検者は簡便にＭＣデータの良否を判断することができる。また、撮影が完了する前にＭＣデータの良否を判断できるため、検者は、撮影を途中で中断して撮り直しを行ってもよい。これによって、撮影全体の時間が短縮され、被検者の負担が軽減される。
【０１０２】
また、本実施例のＯＣＴ信号処理装置１は、網膜全層のＭＣ画像しか確認ができない場合に比べ、特定の深さ領域が上手く撮影できているかを容易に確認することができる。
【０１０３】
なお、ＯＣＴデバイス１０にＳＤ−ＯＣＴを用いた場合、感度減衰が生じることがある。これによって、浅い深さ領域のＭＣ画像が鮮明であっても、深い深さ領域のＭＣ画像は不鮮明となる可能性がある。このような場合、網膜全層のＭＣ画像だけでは深い深さ領域のＭＣ画像が不鮮明であることが分かり難い。したがって、本実施例のように、一部の深さ領域のＭＣ画像を表示できることによって、検者は、深い深さ領域のＭＣ画像を個別に確認することができるため、感度減衰によるＭＣ画像の不良を容易に確認できる。
【０１０４】
なお、ＣＰＵ７１は、例えば、深さの異なる深さ領域における複数のＭＣ画像を確認画面８０に表示させてもよい。例えば、図７に示すように、ＣＰＵ７１は、第１表示領域８１にＳＣＰとＤＣＰ等の深さの異なる深さ領域における複数のＭＣ画像を並べて表示させてもよい。これによって、深さ領域の異なるＭＣ画像を比較でき、ある深さ領域のＭＣ画像を参考にして、深さの異なる他のＭＣ画像の良否を判断することができる。
【０１０５】
なお、ＣＰＵ７１は、３次元ＭＣ画像、ＭＣ正面画像、および任意の血管のＭＣ画像を第１表示領域８１に表示させてもよい。例えば、ＣＰＵ７１は、これらの画像を第１表示領域８１に並べて表示させてもよいし、切替可能に表示させてもよい。さらに、ＣＰＵ７１は、ＭＣ正面画像と、それに対応する深さ領域の強度の正面画像を第１表示領域８１に並べて表示してもよい。また、ＭＣ画像は、カラー表示とネガティブ／ポジティブ表示とを切り替えることができてもよい。もちろん、ＭＣ画像は静止画であってもよいし、動画であってもよい。
【０１０６】
なお、ＣＰＵ７１は、ＭＣ画像の解析結果を第１表示領域８１に表示してもよい。例えば、ＣＰＵ７１は、ＦＡＺ（Foveal Avascular Zone: 中心窩無血管領域）の面積，形状計測等の解析結果、動脈静脈の分別結果等の領域解析結果をＭＣ画像に重ねて表示させてもよい。また、ＣＰＵ７１は、ＭＣ画像上のアーチファクト(例えば、走査ライン方向の横スジ)等を検出し、矢印や着色等で強調表示してもよい。例えば、ＣＰＵ７１は、画像処理または前述のＭＣＩの演算等によってアーチファクトを検出し、ＭＣ画像上の該当箇所を強調表示することによって、再撮影を促してもよい。検者は、これらの解析結果等を参考することによって、再撮影を行うべきかを容易に判断することができる。
【０１０７】
なお、ＣＰＵ７１は、撮影した走査ラインから順次ＭＣ画像を表示してもよい。これによって、検者は、撮影の進捗状況を知ることができる。例えば、検者は、撮影途中にアーチファクトを見つけた場合、撮り直しを行ってもよい。
【０１０８】
＜深さ領域の設定＞
なお、ＣＰＵ７１は、第１表示領域８１に表示させるＭＣ画像の深さ領域を自動で設定してもよい。例えば、ＣＰＵ７１は、ＭＣデータを解析することによって病変部を検出し、検出された病変部を含む深さ領域のＭＣ画像を第１表示領域８１に表示してもよい。例えば、ＣＰＵ７１は、ＭＣ画像に対して２値化を行い、血管が検出されなかった暗い領域を病変部として検出してもよい。このように、検出された病変に基づいてＭＣ画像の深さ領域が自動で設定されることによって、病変があるか否か探すために深さ領域を切り替える手間が省ける。また、病変と思われる深さ領域のＭＣ画像を表示することで、検者はその周辺をより詳細に撮り直すかどうか判断できる。
【０１０９】
また、ＣＰＵ７１は、例えば、撮影条件に基づいて、第１表示領域８１に表示させるＭＣ画像の深さ領域を自動で設定してもよい。例えば、ＣＰＵ７１は、測定光のスキャン位置（例えば、黄斑周辺、乳頭周辺）、スキャンパターン（例えば、ラスター、サークル、クロス）に基づいて、ＭＣ画像の深さ領域を自動で設定してもよい。
【０１１０】
また、ＣＰＵ７１は、患者の病歴データから第１表示領域８１に表示させるＭＣ画像の深さ領域を自動で設定してもよい。例えば、ＣＰＵ７１は、記憶部７４等に記憶された病歴データを参照し、病変が発生したことのある深さ領域のＭＣ画像を第１表示領域８１に表示させてもよい。これによって、検者は、病変部の経過観察を容易に行える。もちろん、ＣＰＵ７１は、予め設定された深さ領域のＭＣ画像を表示させてもよい。
【０１１１】
なお、以上に説明した確認画面は、一例に過ぎず、上記の要素（例えば、第１表示領域８１、第２表示領域８３、第３表示領域８３、第４表示領域８６、第１切替部８４、第２切替部８５、ＯＫボタン８７、リトライボタン８８）のすべてを表示する必要はない。もちろん、ＣＰＵ７１は、撮影条件に応じて確認画面の構成を変更してもよい。例えば、黄斑撮影時と乳頭撮影時とで異なる確認画面を表示してもよい。
【符号の説明】
【０１１２】
１  ＯＣＴ信号処理装置
１０  ＯＣＴデバイス
７０  制御部
７１  ＣＰＵ
７２  ＲＯＭ
７３  ＲＡＭ
７４  記憶部
７５  表示部
７６  操作部
１００  ＯＣＴ光学系
１０８  走査部
２００  正面撮影光学系
３００  固視標投影部
【図１】
0006606881.tif 000006
【図２】
0006606881.tif 000007
【図３】
0006606881.tif 000008
【図４】
0006606881.tif 000009
【図５】
0006606881.tif 000010
【図６】
0006606881.tif 000011
【図７】
0006606881.tif 000012